(57)【要約】【課題】簡素な構成で効果的に塵埃を分離することができる電気掃除機の集塵装置を提供することを目的とする。【解決手段】瞬間分離部を構成する経路部により気流中の粗ゴミが分離されるとともに、その気流は、経路部を通過する途中で徐々に加速されるので、経路部の経路長を短くしても十分に必要な速度を得ることができ、その結果、集塵装置の気流の経路における抵抗を低減することができ、集塵装置の吸い込み効率を向上することができるという効果を得る。【選択図】          図１
2005040258.tif 000002
【特許請求の範囲】
【請求項１】
集塵モータが発生する吸引力により吸気口から流入させた気流に含まれている塵埃を分離する集塵装置において、
上記吸気口から流入させた気流を増速させながら略円周状の経路を通過させ、その出口にて気流を膨張させて集塵室へ導く分離部と、
上記集塵室の上方にその一方の開口部が設けられ、気流を集塵モータへ導く通路を備えたことを特徴とする電気掃除機の集塵装置。
【請求項２】
前記集塵室から前記通路の途中に、逆流防止のための板部材を設けたことを特徴とする請求項１記載の電気掃除機の集塵装置。
【請求項３】
前記集塵室には、前記集塵モータへ連通する開口部が設けられ、この開口部には、メッシュ部材が配設されることを特徴とする請求項１または請求項２記載の電気掃除機の集塵装置。
【請求項４】
前記集塵室には、気流を整流するための整流板部材が設けられていることを特徴とする請求項１または請求項２記載の電気掃除機の集塵装置。
【請求項５】
集塵モータが発生する吸引力により吸気口から流入させた気流に含まれている塵埃を分離する集塵装置であって、上記吸気口から流入させた気流を増速させながら略円周状の経路を通過させ、その出口にて気流を膨張させて集塵室へ導く分離部と、上記集塵室の上方にその一方の開口部が設けられ、気流を集塵モータへ導く通路を備えた集塵装置を備えた電気掃除機。
【発明の詳細な説明】
【０００１】
【発明の属する技術分野】
本発明は、集塵モータが発生する吸引力により吸気口から流入させた気流に含まれている塵埃を分離する集塵装置およびその集塵装置を備えた電気掃除機に関する。
【０００２】
【従来の技術】
従来、集塵モータが発生する吸引力により吸気口から流入させた気流に含まれている塵埃を分離する集塵装置としては、例えば、いわゆるサイクロン式の集塵装置（特許文献１参照）や、分離した塵埃を圧縮する圧縮式の集塵装置（特許文献２参照）などが提案されていた。
【０００３】
【特許文献１】
特公昭６２−５０１４１号公報
【特許文献２】
実公昭５４−１１７４５号公報
【０００４】
【発明が解決しようとする課題】
しかしながら、特許文献１の装置の場合には、気流から塵埃を除去するために必要となる経路が長くなり、装置が大きくなるという問題があった。また、特許文献２の装置の場合には、圧縮の機構が必要となり、装置が大がかりになるという問題があった。
【０００５】
本発明はこのような課題を解決するために、簡素な構成で効果的に塵埃を分離することができる電気掃除機の集塵装置を提供することを目的とする。
【０００６】
【課題を解決するための手段】
本発明は、集塵モータが発生する吸引力により吸気口から流入させた気流に含まれている塵埃を分離する集塵装置において、上記吸気口から流入させた気流を増速させながら略円周状の経路を通過させ、その出口にて気流を膨張させて集塵室へ導く分離部と、上記集塵室の上方にその一方の開口部が設けられ、気流を集塵モータへ導く通路を備えたものである。
【０００７】
また、前記集塵室から前記通路の途中に、逆流防止のための板部材を設けたものである。
【０００８】
また、前記集塵室には、前記集塵モータへ連通する開口部が設けられ、この開口部には、メッシュ部材が配設されるものである。
【０００９】
また、前記集塵室に、気流を整流するための整流板部材を設けたものである。
また、集塵モータが発生する吸引力により吸気口から流入させた気流に含まれている塵埃を分離する集塵装置であって、上記吸気口から流入させた気流を増速させながら略円周状の経路を通過させ、その出口にて気流を膨張させて集塵室へ導く分離部と、上記集塵室の上方にその一方の開口部が設けられ、気流を集塵モータへ導く通路を備えた集塵装置を備えた電気掃除機である。
【００１０】
【発明の実施の形態】
以下、添付図面を参照しながら、本発明の実施の形態を詳細に説明する。
【００１１】
図１および図２は、本発明の一実施例にかかる集塵装置の概略構成を示している。
【００１２】
図において、集塵装置１は、その上部が分離部に形成されるとともに、下部が集塵部に形成されており、集塵部の下側には、図示しない集塵モータが配置していて、集塵装置１の内部の空気を吸引している。
【００１３】
分離部において、適宜な位置に形成されている吸気口２から吸い込まれた気流は、ケース３と、ケース３の内側に設けられた案内部材４により形成されている経路部５に沿って流れる。
【００１４】
この経路部５は、吸気口２から流入させた気流を絞りながら増速させて略円周状の経路を通過させるようになっており、案内部材４の端部４ａは、広い空間となる集塵室６へと開いている。
【００１５】
また、集塵室６の上方には、気流中に含まれる塵埃が経路部５の方向へ戻ることを抑制するための板部材７が設けられている。
【００１６】
また、分離部の略中央部には、排気のための通路の開口部８が設けられており、開口部８と集塵室６の間には、メッシュ部材９が配設されている。
【００１７】
また、集塵室６の背面には、開口部８より流入した気流を下側の集塵モータへと案内するための案内経路１０が形成されており、最下部には、気流中の微細な塵埃を除去するための微細塵捕集フィルタ１１が設けられている。
【００１８】
以上の構成で、集塵モータによる吸引力が作用すると、集塵装置１には、吸気口２から空気が吸い込まれ、経路部５、集塵室６、メッシュ部材９、開口部８、および、案内経路１０を順に通過して、集塵モータへと至る気流の通路が形成される。
【００１９】
ここで、経路部５においては、吸気口２から流入させた気流が絞られながら、増速されつつ略円周状の経路を通過し、経路部５の出口へ至り、当該出口で気流は膨張し、集塵室６へと流れる。このとき、気流に含まれている粗い塵埃が気流より脱落して集塵室６へ蓄積される。
【００２０】
集塵室６へ流れた気流は、板部材７に衝突してその勢いを減らした状態で、板部材７を迂回し、メッシュ部材９を通過して開口部８へ至る。そして、気流は、さらに、案内経路１０へ流れ、微細塵捕集フィルタ１１を通過して集塵モータへと至る。このとき、微細塵捕集フィルタ１１により、気流に含まれているごく小さい塵が分離され、清浄な空気のみが集塵モータへと送られる。
【００２１】
このようにして、本実施例では、瞬間分離部を構成する経路部５により気流中の粗ゴミが分離されるとともに、その気流は、経路部５を通過する途中で徐々に加速されるので、経路部５の経路長を短くしても十分に必要な速度を得ることができ、その結果、集塵装置１の気流の経路における抵抗を低減することができ、集塵装置１の吸い込み効率を向上することができる。
【００２２】
図３は、本発明の他の実施例にかかる集塵装置の概略構成を示している。なお、同図において、図１，２と同一部分および相当する部分には同一符号を付して、その説明を省略する。
【００２３】
この実施例では、集塵室６の底板１３の一部を切欠いて開口部１３ａを設け、この開口部１３ａにメッシュ部材１４を取り付けて、集塵室６に入り込んだ気流の一部を、微細塵捕集フィルタ１１を介して、直接集塵モータへと引き込む流路を形成する。なお、開口部１３ａは、経路部５の出口とは反対側の集塵室６の底板１３の部分に設ける。
【００２４】
これにより、集塵室６に蓄積される塵埃は、開口部１３ａへと集められて圧縮されるので、集塵室６における塵埃の振る舞いを制限することができるとともに、集塵室６に集められた塵埃の体積を小さくすることができる。
【００２５】
図４は、本発明のさらに他の実施例にかかる集塵装置の概略構成を示している。なお、同図において、図１，２と同一部分および相当する部分には同一符号を付して、その説明を省略する。
【００２６】
この実施例では、集塵室６に、経路部５から集塵室６に流れる気流の方向を安定させるためのに、円弧状に形成された案内板部材１５を設けている。
【００２７】
これにより、集塵室６における気流の動きが安定し、例えば、案内板部材１５の下側の端部に気流が衝突して乱流を生じ、集塵室６に蓄積された塵埃が吹き飛ぶような事態を回避することができ、その結果、この集塵装置１の集塵効果を高めることができる。
【００２８】
【発明の効果】
以上説明したように、本発明によれば、瞬間分離部を構成する経路部により気流中の粗ゴミが分離されるとともに、その気流は、経路部を通過する途中で徐々に加速されるので、経路部の経路長を短くしても十分に必要な速度を得ることができ、その結果、集塵装置の気流の経路における抵抗を低減することができ、集塵装置の吸い込み効率を向上することができるという効果を得る。
【００２９】
また、集塵室の一部に開口部を設けて、集塵モータへと連通させているので、この開口部に塵埃が集中して圧縮され、塵埃の体積を減らすことができる。
【図面の簡単な説明】
【図１】本発明の一実施例にかかる集塵装置の概略構成を示した概略構成図。
【図２】本発明の一実施例にかかる集塵装置の概略構成を示した概略構成図。
【図３】本発明の他の実施例にかかる集塵装置の概略構成を示した概略構成図。
【図４】本発明のさらに他の実施例にかかる集塵装置の概略構成を示した概略構成図。
【符号の説明】
１  集塵装置
２  吸気口
３  ケース
４  案内部材
５  経路部
７  板部材
８，１３ａ  開口部
９，１４  メッシュ部材
１０  案内経路
１１  微細塵捕集フィルタ
１３  底板
１５  案内板部材
【図１】
2005040258.tif 000003
【図２】
2005040258.tif 000004
【図３】
2005040258.tif 000005
【図４】
2005040258.tif 000006